(57)【要約】【課題】  光センサを用いずに、押しボタン部材の操作に応じたオン・オフ切り替え動作が安定して行えるようにすると共に、小型化が可能な押しボタンスイッチを提供する。【解決手段】  押しボタンスイッチＡは、ケース３１と、ケース３１の頭部に移動可能に取り付けられたボタン３２とを備える。ボタン３２には、ケース３１内を移動するようスライド部材３４が一体に取り付けられ、スライド部材３４の内端部側に被検出体３７が設けられている。ケース３１の底部側には近接センサ６０が取り付けられ、近接センサ６０のボビン４０に検出コイル４１が設けられている。近接センサ６０は、ボタン３２の操作に伴うスライド部材３４の移動により被検出体３７が検出コイル４１に対して接離するのに応じてオン・オフ信号を出力する。【選択図】      図３
2006277957.tif 000002
【特許請求の範囲】
【請求項１】
スイッチ本体と、スイッチ本体内を移動するようスイッチ本体内に配置されたスライド部材と、スライド部材に設けられた被検出体と、この被検出体に対応してスイッチ本体内に配置され、スライド部材の移動に伴う被検出体の移動に応じてオン・オフ信号を出力するセンサとを備えたことを特徴とする押しボタンスイッチ。
【請求項２】
スイッチ本体と、スイッチ本体内を移動するようスイッチ本体内に配置されたスライド部材と、スライド部材に設けられた被検出体と、この被検出体に対応してスイッチ本体内に配置されるとともに被検出体を検出する検出部を有し、スライド部材の移動により被検出体が検出部に対して接離するのに応じてオン・オフ信号を出力するセンサとを備えたことを特徴とする押しボタンスイッチ。
【請求項３】
前記センサの検出部は略円柱状であり、前記被検出体は、中空形状であるとともに、前記スライド部材の移動により略円柱状の検出部が当該中空形状の被検出体内に出入することで略円柱状の検出部の外側を移動することを特徴とする請求項２記載の押しボタンスイッチ。
【請求項４】
前記センサはその検出部の内側に凹部を有し、前記被検出体は、前記スライド部材の移動により検出部の内側の凹部に出入することで検出部の内側を移動することを特徴とする請求項２記載の押しボタンスイッチ。
【請求項５】
スイッチ本体と、スイッチ本体内を移動するようスイッチ本体内に配置されたスライド部材と、スイッチ本体より出現するようスライド部材に取り付けられた透光材料よりなるボタンと、スイッチ本体内に配置され、ボタンを照明する発光体とを備え、発光体の点灯によりボタンを照明する押しボタンスイッチにおいて、
スライド部材に設けられた被検出体と、この被検出体に対応してスイッチ本体内に配置され、スライド部材の移動に伴う被検出体の移動に応じてオン・オフ信号を出力するセンサとを備えたことを特徴とする押しボタンスイッチ。
【請求項６】
スイッチ本体と、スイッチ本体内を移動するようスイッチ本体内に配置されたスライド部材と、スイッチ本体より出現するようスライド部材に取り付けられた透光材料よりなるボタンと、スイッチ本体内に配置され、ボタンを照明する発光体とを備え、発光体の点灯によりボタンを照明する押しボタンスイッチにおいて、
スライド部材に設けられた被検出体と、この被検出体に対応してスイッチ本体内に配置されるとともに被検出体を検出する検出部を有し、スライド部材の移動により被検出体が検出部に対して接離するのに応じてオン・オフ信号を出力するセンサとを備えたことを特徴とする押しボタンスイッチ。
【請求項７】
前記被検出体は中空形状であり、前記発光体は、前記センサ内であって中空形状の被検出体の内側に位置することを特徴とする請求項６記載の押しボタンスイッチ。
【請求項８】
前記センサの検出部は略円柱状であり、前記被検出体は、前記スライド部材の移動により略円柱状の検出部が当該中空形状の被検出体内に出入することで略円柱状の検出部の外側を移動することを特徴とする請求項７記載の押しボタンスイッチ。
【請求項９】
前記センサはその検出部の内側に凹部を有し、前記被検出体は、前記スライド部材の移動により検出部の内側の凹部に出入することで検出部の内側を移動することを特徴とする請求項７記載の押しボタンスイッチ。
【発明の詳細な説明】
【技術分野】
【０００１】
この発明は、押しボタンスイッチに関し、特に、スロットマシンの操作スイッチ等のように遊技者により遊技に関連して操作される押しボタンスイッチに関する。
【背景技術】
【０００２】
この種の押しボタンスイッチには、下記の特許文献１に記載された「光学式押しボタンスイッチ」がある。この光学式押しボタンスイッチは、弾性手段により自動復帰する押しボタン作動部と、この押しボタン作動部が押されて移動した状態を検知する光センサとを備えている（例えば、特許文献１参照）。
【０００３】
その他、下記の特許文献２に記載された「遊技機のスイッチ装置」がある。この遊技機のスイッチ装置は、スイッチ操作の方向に移動可能な透光性を有する押しボタン部材と、この押しボタン部材の内側に収容され、裏面側から光を照射する発光体と、押しボタン部材と発光体との間に配置された透光性を有する光拡散部材と、押しボタン部材と連動してオン・オフを行うスイッチを構成する遮光片と、発光体の後方に位置して光を押しボタン部材に向けて反射する光反射面を有する内筒とを備えて構成されている（例えば、特許文献２参照）。
【特許文献１】特開平７−１７６２３７号公報
【特許文献２】特開平８−２９８０４２号公報
【発明の開示】
【発明が解決しようとする課題】
【０００４】
しかしながら、前記特許文献１記載の光学式押しボタンスイッチでは、押しボタン作動部の移動を光センサで検出するので、スイッチの外部からの光、内部の発光体から漏れた光、ほこりの付着等で、スイッチ動作が不安定になる。また、遊技機に用いた場合、遊技機の隙間から光ファイバー等を挿入して、スイッチを誤動作させる等の不正行為を行いやすいという問題点がある。
【０００５】
また、前記特許文献２記載の遊技機用のスイッチ装置では、押しボタン部材の操作により、投光部と受光部から成る光センサの光路を、押しボタン部材に設けられた遮光片が遮断することでスイッチ操作をするようになっている。従って、前者の光学式押しボタンスイッチと同様、スイッチの外部からの光、内部の発光体から漏れた光、ほこりの付着等で、スイッチ動作が不安定になる。遊技機に用いた場合、遊技機の隙間から光ファイバー等を挿入して、スイッチを誤動作させる等の不正行為を行いやすいという問題点がある。また、発光体から離れた位置に投光部と受光部を設ける必要があり、小型化が難しいという問題点もある。
【０００６】
従って、本発明は、そのような従来の問題点に着目してなされたもので、光センサを用いずに、押しボタン部材の操作に応じたオン・オフ切り替え動作が安定して行えるようにすると共に、小型化が可能な押しボタンスイッチを提供することを目的とする。
【課題を解決するための手段】
【０００７】
前記目的を達成するために、この発明の請求項１記載の押しボタンスイッチは、スイッチ本体と、スイッチ本体内を移動するようスイッチ本体内に配置されたスライド部材と、スライド部材に設けられた被検出体と、この被検出体に対応してスイッチ本体内に配置され、スライド部材の移動に伴う被検出体の移動に応じてオン・オフ信号を出力するセンサとを備えたことを特徴とする。
【０００８】
請求項２記載の押しボタンスイッチは、スイッチ本体と、スイッチ本体内を移動するようスイッチ本体内に配置されたスライド部材と、スライド部材に設けられた被検出体と、この被検出体に対応してスイッチ本体内に配置されるとともに被検出体を検出する検出部を有し、スライド部材の移動により被検出体が検出部に対して接離するのに応じてオン・オフ信号を出力するセンサとを備えたことを特徴とする。
【０００９】
請求項３記載の押しボタンスイッチでは、センサの検出部は略円柱状であり、被検出体は、中空形状であるとともに、スライド部材の移動により略円柱状の検出部が当該中空形状の被検出体内に出入することで略円柱状の検出部の外側を移動することを特徴とする。
【００１０】
請求項４記載の押しボタンスイッチでは、センサはその検出部の内側に凹部を有し、被検出体は、スライド部材の移動により検出部の内側の凹部に出入することで検出部の内側を移動することを特徴とする。
【００１１】
この請求項１〜４記載の押しボタンスイッチでは、押圧操作により移動するスライド部材に設けられた被検出体（例えば、鉄等の金属が例示される）をセンサ（例えば、高周波発振型の近接センサが例示される）で検出するため、ほこりや光等の影響を受けることはない。また、遊技機に用いた場合、光ファイバー等を用いてスイッチを誤動作させる等の不正行為を防止することができる。
【００１２】
請求項５記載の押しボタンスイッチは、スイッチ本体と、スイッチ本体内を移動するようスイッチ本体内に配置されたスライド部材と、スイッチ本体より出現するようスライド部材に取り付けられた透光材料よりなるボタンと、スイッチ本体内に配置され、ボタンを照明する発光体とを備え、発光体の点灯によりボタンを照明する押しボタンスイッチにおいて、スライド部材に設けられた被検出体と、この被検出体に対応してスイッチ本体内に配置され、スライド部材の移動に伴う被検出体の移動に応じてオン・オフ信号を出力するセンサとを備えたことを特徴とする。
【００１３】
請求項６記載の押しボタンスイッチは、スイッチ本体と、スイッチ本体内を移動するようスイッチ本体内に配置されたスライド部材と、スイッチ本体より出現するようスライド部材に取り付けられた透光材料よりなるボタンと、スイッチ本体内に配置され、ボタンを照明する発光体とを備え、発光体の点灯によりボタンを照明する押しボタンスイッチにおいて、スライド部材に設けられた被検出体と、この被検出体に対応してスイッチ本体内に配置されるとともに被検出体を検出する検出部を有し、スライド部材の移動により被検出体が検出部に対して接離するのに応じてオン・オフ信号を出力するセンサとを備えたことを特徴とする。
【００１４】
この請求項５，６記載の押しボタンスイッチでは、上記押しボタンスイッチと同様に、押圧操作により移動するスライド部材に設けられた被検出体をセンサで検出するため、ほこりや光等の影響を受けることはない。また、遊技機に用いた場合、光ファイバー等を用いてスイッチを誤動作させる等の不正行為を防止することができる。
【００１５】
請求項７記載の押しボタンスイッチでは、被検出体は中空形状であり、発光体は、センサ内であって中空形状の被検出体の内側に位置することを特徴とする。
【００１６】
請求項８記載の押しボタンスイッチでは、センサの検出部は略円柱状であり、被検出体は、スライド部材の移動により略円柱状の検出部が当該中空形状の被検出体内に出入することで略円柱状の検出部の外側を移動することを特徴とする。
【００１７】
請求項９記載の押しボタンスイッチでは、センサはその検出部の内側に凹部を有し、被検出体は、スライド部材の移動により検出部の内側の凹部に出入することで検出部の内側を移動することを特徴とする。
【００１８】
請求項７〜９記載の押しボタンスイッチでは、被検出体を中空形状とし、発光体はセンサ内であって中空形状の被検出体の内側に位置する。
【００１９】
この押しボタンスイッチでは、中空形状の被検出体の内側に発光体が位置するので、センサの検出部及び電子回路部を発光体の外周部に設けることができ、押しボタンスイッチを小型化及び形状の自由度を持たせることができる。
【発明の効果】
【００２０】
本発明の押しボタンスイッチは、以上説明したように構成されるので、次の効果を有する。
（１）押圧操作により移動するスライド部材に設けられた被検出体を光センサ以外のセンサで検出するため、ほこりや光等の影響を受けることがなく、スイッチ動作が安定して行える。また、遊技機に用いた場合、スイッチを誤動作させる等の不正行為を防止することができる。
（２）請求項７〜９記載の構成では、発光体が中空形状の被検出体の内側に位置するので、センサの検出部及び電子回路部を発光体の外周部に設けることができ、押しボタンスイッチを小型化及び形状の自由度を持たせることができる。
【発明を実施するための最良の形態】
【００２１】
以下、本発明を実施の形態に基づいて説明する。
【００２２】
その一実施形態に係る押しボタンスイッチの側面図を図１、底面図を図２、一方向の縦断面図を図３、別方向（図３の断面に対して９０°回転させたとき）の縦断面図を図４、ボタンを押した状態の一方向の縦断面図を図５に示す。
【００２３】
この押しボタンスイッチＡは、スイッチ本体としてのケース３１と、このケース３１の頭部に移動可能に取り付けられたボタン３２とを備える。ケース３１は筒状になっており、その一方（底部側）に後述する電磁誘導を利用した高周波発振型の近接センサ６０が固定され、他方（頭部側）にはボタン３２がケース３１内を移動可能な状態で収納されている。
【００２４】
近接センサ６０は、センサケース３８と、このセンサケース３８の外側に取り付けられたセンサカバー３９とを有する。センサカバー３９の内端部にはフック４８が設けられ、このフック４８に対応してケース３１には開口による係止部４７が形成されている。従って、センサカバー３９のフック４８をケース３１の係止部４７に嵌合させることで、近接センサ６０がケース３１に取り付けられる。
【００２５】
ボタン３２は、押しボタン部３３と、この押しボタン部３３に一体に設けられてケース３１内を移動するスライド部材３４とから成り、スライド部材３４の内端部側には、金属（例えば鉄等）から成る中空形状の被検出体３７が当該スライド部材３４のフック５１によって取り付けられている。スライド部材３４には、フック５２（図４）と段差状の当接部５４（図３）が設けられており、このフック５２がケース３１の段差状の係止部５３で止まることによりボタン３２がケース３１から外れるのを防ぐとともに、フック５２が係止部５３で止まる位置から、当接部５４がケース３１の段差状の当接面５５（図３）に当たるまでの間をボタン３２が移動できる。
【００２６】
また、ボタン３２の内側にはバネ３６が配置され、バネ３６の一端部が押しボタン部３３の内壁に係合し、他端部がセンサケース３８の外壁に係合している。このバネ３６によってボタン３２が自動復帰するようになっている。
【００２７】
また、ケース３１の２箇所にはフック３５が１８０°間隔で設けられており、このフック３５を利用することで操作パネル(図示しない)等に簡単に取り付けることができる。例えば、フック３５が嵌合する凹部や開口を操作パネルに設ければ、ケース３１、すなわち押しボタンスイッチＡを操作パネルに対して簡単に着脱することができる。
【００２８】
近接センサ６０のセンサケース３８内には、基板４２とこの基板４２に取り付けられたボビン４０とが配置されている。ボビン４０の外周壁には、被検出体３７の接近を検出するための検出部としての検出コイル４１が取り付けられている。基板４２には、電子回路部４３とコネクタ４４が半田付けされている。基板４２の一端部（ボビン４０側）は、ボビン４０の基板保持部５７で保持されるとともに、ボビン４０の突起部４５が基板４２の穴４６に嵌合することで固定され、基板４２の他端部（コネクタ４４側）は、センサカバー３９の基板保持部５６で保持・固定されている。
【００２９】
また、センサケース３８の外周壁には段差状の係止部４９が設けられ、この係止部４９に対応して、センサカバー３９の内周壁にはフック５０が設けられている。従って、センサケース３８のコネクタ４４側の開口部にセンサカバー３９を嵌合させ、フック５０を係止部４９に係止させることにより、近接センサ６０を構成している。
【００３０】
一方、近接センサ６０の回路構成を図１５のブロック図で説明する。近接センサ６０の回路は、高周波磁界を発生させる検出コイル４１と、高周波を発振する発振回路６１と、この発振回路６１の発振の減衰又は停止状態を検出する発振状態検出回路６２と、発振状態検出回路６２よりの信号に応じてオン・オフ信号を出力する出力回路６３とから成る。
【００３１】
次に、この押しボタンスイッチＡの動作について説明する。
【００３２】
ボタン３２が押されていない状態では、図３及び図４に示すように、ボタン３２の押しボタン部３３はバネ３６の付勢によりケース３１より突出し、これに伴い被検出体３７は検出コイル４１から離れている。この状態のときは、検出コイル４１より発生している高周波磁界中に被検出体３７がないため、発振回路６１は正常な発振を行っている。従って、近接センサ６０の出力はオフである。
【００３３】
ボタン３２の操作により、図５のように、スライド部材３４の当接部５４がケース３１の当接面５５に当たると、被検出体３７がセンサケース３８を介して検出コイル４１に相対する。この状態のときは、被検出体３７が検出コイル４１に近づき高周波磁界中に入るので、被検出体３７に誘導電流が流れ、熱損失が発生する。この熱損失は、検出コイル４１を通じて発振回路６１より引き出されたもので、発振回路６１は発振が減衰するか、又は停止する。この変化を発振状態検出回路６２で検出し、オン信号として出力回路６３から出力する。
【００３４】
次に、別実施形態に係る押しボタンスイッチの側面図を図６、底面図を図７、一方向の縦断面図を図８、別方向（図８の断面に対して９０°回転させたとき）の縦断面図を図１０、近接センサの縦断面図を図９、ボタンを押した状態の一方向の縦断面図を図１１に示す。
【００３５】
この押しボタンスイッチＢは、スイッチ本体としてのケース１と、このケース１の頭部に移動可能に配置されたボタン２とを備える。ケース１は筒状になっており、その一方（底部側）に後述する電磁誘導を利用した高周波発振型の近接センサ４が固定され、他方（頭部側）にはスライド部材３がケース１内を移動可能な状態で収納されている。
【００３６】
近接センサ４は、センサケース１１と、このセンサケース１１の内側に取り付けられたセンサカバー１２とを有し、センサケース１１にフック２２が設けられている。このフック２２がケース１の開口による係止部２１に嵌合することで、近接センサ４がケース１に取り付けられる。
【００３７】
スライド部材３の近接センサ４側には、金属（例えば鉄等）から成る中空形状の被検出体７が当該スライド部材３のフック２９によって取付けられ、スライド部材３の反対側には、透光性のボタン２がスライド部材３の突起部２５とボタン２の係止部２４との嵌合によって取り付けられている。発光体１７（例えば発光ダイオード、図１４に示すようなチップタイプの発光ダイオード７５、小型電球等）からの光をボタン２を介して外部に効率良く放出させるために、ボタン２の内面には発光体１７からの光を拡散するための光拡散フィルム５が貼着され、スライド部材３の内面は発光体１７からの光をボタン２に反射するための反射面２８になっている。
【００３８】
また、スライド部材３には、フック７０（図１０）と段差状の当接部２７（図８）が設けられており、このフック７０がケース１の係止部７１（図１０）で止まることによりスライド部材３がケース１から外れるのを防ぐとともに、フック７０が係止部７１で止まる位置から、当接部２７がケース１の段差状の当接面２６（図８）に当たるまでの間をスライド部材３が移動できる。
【００３９】
また、スライド部材３の外側にはバネ６が配置され、バネ６の一端部がケース１の内壁に係合し、他端部がスライド部材３の外壁に係合している。このバネ６によってボタン２がスライド部材３と一体に自動復帰するようになっている。
【００４０】
この他、ケース１の４箇所には２個のフック１ａと２個のフック１ｂが９０°間隔で設けられており、このフック１ａ，１ｂを利用することで操作パネル(図示しない)等に簡単に取り付けることができる。例えば、フック１ａ，１ｂが嵌合する凹部や開口を操作パネルに設ければ、ケース１、すなわち押しボタンスイッチＢを操作パネルに対して簡単に着脱することができる。
【００４１】
一方、図９に示すように、近接センサ４のセンサケース１１内には、ボビン１３と基板１５とが配置されている。ボビン１３の外周壁には、スライド部材３の被検出体７の接近を検出するための検出部としての検出コイル１４が取り付けられている。ボビン１３の内部には、スペーサ１６を介して発光体１７が挿通されている。この発光体１７は、そのヘッドがセンサケース１１の半球形状の頭部内に位置するとともに、そのリード端子１７ａがセンサケース１１の開口部に嵌まり込むような形状と大きさを有する基板１５に半田付けされている。基板１５の発光体１７の取付側と反対側には、コネクタ１８と電子回路部１９が半田付けされている。
【００４２】
また、近接センサ４のセンサケース１１は透明な樹脂等で成形され、センサケース１１内部の発光体１７の光をボタン２側に透過させるようになっている。
【００４３】
更に、センサケース１１には開口による係止部７２が形成され、この係止部７２に対応して、センサカバー１２にはフック７３が設けられている。従って、センサケース１１の開口部にセンサカバー１２を嵌合させ、フック７３を係止部７２に係止させることにより、近接センサ４を構成している。
【００４４】
次に、この押しボタンスイッチＢの動作について説明する。
【００４５】
ボタン２が押されていない状態では、図８及び図１０に示すように、ボタン２はバネ６の付勢によりケース１より突出し、これに伴い被検出体７は検出コイル１４から離れている。この状態のときは、検出コイル１４より発生している高周波磁界中に被検出体７がないため、発振回路６１は正常な発振を行っている。従って、近接センサ４の出力はオフである。
【００４６】
ボタン２の操作により、図１１のように、スライド部材３の当接部２７がケース１の当接面２６に当たると、被検出体７がセンサケース１１を介して検出コイル１４に相対する。この状態のときは、被検出体７が検出コイル１４に近づき高周波磁界中に入るので、被検出体７に誘導電流が流れ、熱損失が発生する。この熱損失は、検出コイル１４を通じて発振回路６１より引き出されたもので、発振回路６１は発振が減衰するか、又は停止する。この変化を発振状態検出回路６２で検出し、オン信号として出力回路６３から出力する。
【００４７】
次に、別実施形態に係る押しボタンスイッチの縦断面図を図１２に示す。この押しボタンスイッチＣでは、近接センサ４のセンサケース１１にボビン１３の内側に向かって延びる凹部７７が設けられ、この凹部７７にスライド部材３の被検出体７が出入するように構成されている。すなわち、上記押しボタンスイッチＢでは、被検出体７が検出コイル１４の外側を移動するように構成されているが、この押しボタンスイッチＣでは、被検出体７が検出コイル１４の内側を移動するように構成されている。このような構成でも上記押しボタンスイッチＢと同様の動作と効果が得られる。
【００４８】
更に、別実施形態に係る押しボタンスイッチの縦断面図を図１３に示す。この押しボタンスイッチＤでは、図１２の押しボタンスイッチＣにおける近接センサ４のセンサケース１１の凹部７７に代えて、その凹部７７に相当する凹部７８をボビン１３の内側に一体に設けた構成としている。この押しボタンスイッチＤでは、センサケース１１の代わりに、ボビン１３が発光体１７を包囲している。このため、凹部７８を含むボビン１３は透明な樹脂等からなる。この押しボタンスイッチＤによると、センサケース１１の厚み分だけ被検出体７を検出コイル１４に近づけることができ、図１２の押しボタンスイッチＣより精度良く被検出体７を検出することができる。
【００４９】
更に、別実施形態に係る押しボタンスイッチの縦断面図を図１４に示す。この押しボタンスイッチＥでは、上記発光体１７としての発光ダイオードの代わりに、チップタイプの発光ダイオード７５を用いている。その他の構成は、押しボタンスイッチＢとほぼ同じ構成である。
【００５０】
なお、上記実施形態では、センサとして高周波発振型の近接センサを用いたが、磁気型、静電容量型等の近接センサ、その他の非接触型センサや接触型のセンサ等、光センサ以外のものを適用してもよい。
【００５１】
また、上記実施形態では、押しボタンスイッチをスロットマシン等の遊技機の操作スイッチに適用する場合について述べたが、ゲーム機の操作スイッチ及び民生用・工業用操作スイッチ等にも同様に適用することができるのは勿論である。
【図面の簡単な説明】
【００５２】
【図１】一実施形態に係る押しボタンスイッチの側面図である。
【図２】一実施形態に係る押しボタンスイッチの底面図である。
【図３】一実施形態に係る押しボタンスイッチの一方向の縦断面図である。
【図４】一実施形態に係る押しボタンスイッチの別方向（図３の断面に対して９０°回転させたとき）の縦断面図である。
【図５】一実施形態に係る押しボタンスイッチのボタンを押した状態の一方向の縦断面図である。
【図６】別の実施形態に係る押しボタンスイッチの側面図である。
【図７】別の実施形態に係る押しボタンスイッチの底面図である。
【図８】別の実施形態に係る押しボタンスイッチの一方向の縦断面図である。
【図９】別の実施形態に係る押しボタンスイッチの近接センサの縦断面図である。
【図１０】別の実施形態に係る押しボタンスイッチの別方向（図８の断面に対して９０°回転させたとき）の縦断面図である。
【図１１】別の実施形態に係る押しボタンスイッチのボタンを押した状態の一方向の縦断面図である。
【図１２】更に別の実施形態に係る押しボタンスイッチの縦断面図である。
【図１３】更に別の実施形態に係る押しボタンスイッチの縦断面図である。
【図１４】更に別の実施形態に係る押しボタンスイッチの縦断面図である。
【図１５】一実施形態に係る押しボタンスイッチの近接センサのブロック図である。
【符号の説明】
【００５３】
Ａ〜Ｅ        押しボタンスイッチ
１，３１      ケース（スイッチ本体）
２，３２      ボタン
３，３４      スライド部材
４，６０      近接センサ（センサ）
７，３７      被検出体
１３，４０    ボビン
１４，４１    検出コイル（検出部）
１７          発光体
７７          近接センサ（センサケース）の凹部
７８          ボビンの凹部
【図１】
2006277957.tif 000003
【図２】
2006277957.tif 000004
【図３】
2006277957.tif 000005
【図４】
2006277957.tif 000006
【図５】
2006277957.tif 000007
【図６】
2006277957.tif 000008
【図７】
2006277957.tif 000009
【図８】
2006277957.tif 000010
【図９】
2006277957.tif 000011
【図１０】
2006277957.tif 000012
【図１１】
2006277957.tif 000013
【図１２】
2006277957.tif 000014
【図１３】
2006277957.tif 000015
【図１４】
2006277957.tif 000016
【図１５】
2006277957.tif 000017